(57)【特許請求の範囲】
【請求項１】
閃光装置と、
前記閃光装置の閃光開始時点を計時起点とする計時手段と、
前記計時手段の出力に基づいて、閃光停止信号を前記閃光装置に出力する閃光停止手段と、
シャッタタイムを手動で選択する手動選択手段と、
装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、
前記手動選択手段の選択結果に基づいて、前記計時手段の計時時間を制御する計時制御手段と、
前記判別手段により受信された閃光装置の閃光時間と前記計時時間とを比較する比較手段と、
撮影者に警告を発する警告手段と、
前記比較手段による比較の結果、前記閃光時間より前記計時時間が短くなった場合に前記警告手段を作動させる警告制御手段とを具備する閃光装置と同調可能な撮像装置。
【請求項２】
閃光装置と、
前記閃光装置の閃光開始時点を計時起点とする計時手段と、
前記計時手段の出力に基づいて、閃光停止信号を前記閃光装置に出力する閃光停止手段と、
シャッタタイムを手動で選択する手動選択手段と、
装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、
前記手動選択手段の選択結果に基づいて、前記計時手段の計時時間を制御する計時制御手段と、
前記判別手段により前記第２種類の閃光装置と判断された場合は、前記計時制御手段による作動を無効にする手段とを具備する閃光装置と同調可能な撮像装置。
【請求項３】
前記判別手段により受信された閃光装置の閃光時間と前記計時時間とを比較する比較手段と、
撮影者に警告を発する警告手段と、
前記比較手段による比較の結果、前記閃光時間より前記計時時間が短くなった場合は、前記警告手段を作動させる警告制御手段とを更に具備する請求項２に記載の閃光装置と同調可能な撮像装置。
【請求項４】
閃光装置と、
前記閃光装置の閃光開始時点を計時起点とする計時手段と、
前記計時手段の出力に基づいて、閃光停止信号を前記閃光装置に出力する閃光停止手段と、
シャッタタイムを手動で選択する手動選択手段と、
装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、
前記手動選択手段の選択結果に基づいて、前記計時手段の計時時間を制御する計時制御手段と、
前記判別手段により前記第３種類の閃光装置と判別された場合は、前記計時制御手段による作動を無効にする手段とを具備する閃光装置と同調可能な撮像装置。
【請求項５】
撮影者に警告を発する警告手段と、
前記判別手段により前記第３種類の閃光装置と判別された場合は、前記警告手段を作動させる警告制御手段とを更に具備する請求項４に記載の閃光装置と同調可能な撮像装置。
【発明の詳細な説明】
【０００１】
【発明の属する技術分野】
本発明は、ストロボ（閃光装置）と同調可能な撮像装置に関するものである。
【０００２】
【従来の技術】
従来より、カメラにストロボを装着して使用する際に、シャッタタイムは自動的に同調可能な値に設定されるのが一般的である。フォーカルプレーンシャッタの場合、ストロボの閃光はシャッタが全開している間に開始し、かつ終了しなくては、むらのある結果となってしまうからである。シャッタタイムは、ストロボ装着に連動して一律に１／２５０秒前後に設定されることが多い。
【０００３】
さらに自動化の一環として、フィルム面に照射される被写光をモニタし、適正レベルに到達した時点でストロボの閃光を停止させる調光機能も一般的に採用されている技術である。
【０００４】
一方、特開昭４９ー９１２１７号においては、上記の調光に加えて、ストロボの閃光を発光開始から所定時間経過後に強制的に停止させ、閃光時間の長いストロボによる不具合を解決する技術が公開されている。
【０００５】
ところで、シャッタタイムは作品にその結果が如実に表れるものであり、撮影者が特に自分自身で選択したいものの一つである。ストロボを併用した撮影においても、前述のように一律な自動設定されるシャッタタイムではなく、被写体の状況によって調整できることが望まれる。特に近年は粒状性の良い高感度フィルムが出回り、スポーツ写真ではより高速のシャッタタイムが必要とされて来ている。
【０００６】
装着されるストロボの性能には種々のものがある。例えば、装着とその閃光開始のみできる旧型ストロボや、あるいは他社メーカ製ストロボの場合にはカメラとのデータ授受ができない構造であるために、その閃光時間あるいは調光させた際の閃光停止特性など、カメラ側で検知不可能なストロボも存在する。
【０００７】
【発明が解決しようとする課題】
上記のように、カメラとストロボについての各種の技術および撮影者側の意図は存在しているものの、それらを有機的に結びつけ、撮影者の意思が反映され、かつ撮影の失敗を自動的に回避できる方法については開示されていなかった。
【０００８】
本発明は、上記の問題点に鑑みてなされたもので、併用する閃光装置の機能に応じて、撮影者の意図に最も適した状態で、閃光装置とカメラの制御を行うことを目的とする。
【０００９】
【課題を解決するための手段】
この目的を達成するために、請求項１の発明による閃光装置と同調可能な撮像装置は、閃光装置と、閃光装置の閃光開始時点を計時起点とする計時手段と、計時手段の出力に基づいて、閃光停止信号を閃光装置に出力する閃光停止手段と、シャッタタイムを手動で選択する手動選択手段と、装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、手動選択手段の選択結果に基づいて、計時手段の計時時間を制御する計時制御手段と、判別手段により受信された閃光装置の閃光時間と計時時間とを比較する比較手段と、撮影者に警告を発する警告手段と、比較手段による比較の結果、閃光時間より計時時間が短くなった場合に警告手段を作動させる警告制御手段とを具備する。
請求項２の発明による閃光装置と同調可能な撮像装置は、閃光装置と、閃光装置の閃光開始時点を計時起点とする計時手段と、計時手段の出力に基づいて、閃光停止信号を閃光装置に出力する閃光停止手段と、シャッタタイムを手動で選択する手動選択手段と、装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、手動選択手段の選択結果に基づいて、計時手段の計時時間を制御する計時制御手段と、判別手段により第２種類の閃光装置と判断された場合は、計時制御手段による作動を無効にする手段とを具備する。
請求項３の発明による閃光装置と同調可能な撮像装置は、請求項２において、判別手段により受信された閃光装置の閃光時間と計時時間とを比較する比較手段と、撮影者に警告を発する警告手段と、比較手段による比較の結果、閃光時間より計時時間が短くなった場合は、警告手段を作動させる警告制御手段とを更に具備する。請求項４の発明による閃光装置と同調可能な撮像装置は、閃光装置と、閃光装置の閃光開始時点を計時起点とする計時手段と、計時手段の出力に基づいて、閃光停止信号を閃光装置に出力する閃光停止手段と、シャッタタイムを手動で選択する手動選択手段と、装着された閃光装置が、閃光時間が撮像装置側に伝達されかつ強制的な閃光停止が可能な第１種類であるか、閃光時間を撮像装置側では検知することはできるが強制的な閃光停止ができない第２種類であるか、閃光時間を撮像装置側では検知することができず強制的な閃光停止もできない第３種類であるかを判別し、装着された閃光装置の閃光時間を受信する判別手段と、手動選択手段の選択結果に基づいて、計時手段の計時時間を制御する計時制御手段と、判別手段により第３種類の閃光装置と判別された場合は、計時制御手段による作動を無効にする手段とを具備する。
請求項５の発明による閃光装置と同調可能な撮像装置は、請求項４において、撮影者に警告を発する警告手段と、判別手段により第３種類の閃光装置と判別された場合は、警告手段を作動させる警告制御手段とを更に具備する。
【００１０】
【発明の実施の形態】
以下、本発明の実施の形態を図面に基づいて説明する。
【００１１】
図１は、本発明による閃光装置と同調可能な撮像装置の一実施例を示す斜視図である。
【００１２】
図１において、装着されたレンズ２を通過した被写体像は、ファインダ３で視認できる。選択されたモードや自動的に決定される露出条件などは、上面のＬＣＤ５あるいは背面のＬＣＤ６上に示され、シャッタボタン４を押すことで装填したフィルムへの露光が行われる。
【００１３】
上面のＬＣＤ５は、シャッタタイム、絞り値、露出補正値、露光モード、測光モード、および測距モードなど普段の撮影の際に、頻繁な確認を要する条件を表示するために使用される。背面のＬＣＤ６は前記と異なり、一旦設定した後にはそれほど頻繁な変更や確認を必要としない条件の表示に使用される。本発明に関わるストロボ同調条件の表示あるいはフィルム感度の設定などに、この背面ＬＣＤ６が使用される。詳細は図４にて説明する。
【００１４】
ファインダ３の上方にはホットシュー８が設けられ、不図示のストロボが装着される。ホットシュー８には複数の接点が設けられ、ストロボとの間で信号の授受が行われる。
【００１５】
本発明に関わるシャッタの同調速度は、ダイアル７を回転する事で選択できる。詳細は図３にて説明する。
【００１６】
図２は、カメラ１の電気回路を示すブロック結線図である。回路の作動に必要な電池とその給電回路については省略した。
【００１７】
カメラ１の制御は、すべてＣＰＵ２７を中心として実行される。ＣＰＵ２７には、測光回路２０からの被写体輝度信号、調光回路２２からの積分信号、フィルム感度検出回路２３からのフィルム感度信号、セレクタ７等外部操作される各種スイッチ、あるいはシーケンスを表す各種スイッチの状態を示す検出回路２５からの信号が、インターフェース回路２６を介して入力される。
【００１８】
以上の入力情報を基にしてＣＰＵ２７は、インターフェース回路２６を介してモータ２４を回転させ、合焦用レンズ２１を移動させて被写体の焦点を合わせ、インターフェース回路２８を介してＬＣＤ５および６にて露光条件などの表示を行い、シャッタ１１を開閉して所定時間の露光を行い、絞り３０の開口径を可変して透過光量の制御を行い、モータ３１を回転させてフィルムの巻き上げ巻き戻しを行う。さらにＣＰＵ２７は、インターフェース回路２６およびホットシュー８を介して、ストロボ１０とのデータ交信を行う。
【００１９】
調光回路２２は、フィルム面から反射される光量を積分する事で、被写体に照射されるストロボ光量を判断するもので、所定値に達した際に後述の閃光停止信号を出力するために使用される。
【００２０】
ストロボ１０内の回路詳細は、公知であるので省略する。本発明の目的に必要な信号として、ストロボ１０からカメラ１に対して、閃光準備完了信号およびフル発光した時の閃光時間信号が伝達され、逆にカメラ１からストロボ１０に対して、閃光開始信号と閃光停止信号が伝達される。
【００２１】
閃光準備完了信号は、ストロボ１０内で閃光に必要な充電が完了したことを表現する信号で、本実施例の場合にはカメラ１にストロボが装着されているか否かを判断するために使用する。閃光時間信号はフル発光時間を表現する信号で、カメラ１ではその信号と前述のセレクタ７による設定条件との組み合わせにて後述の制御を実行する。
【００２２】
閃光開始信号はカメラ１のシャッタが開いたタイミングで発生し、ストロボ１０はこの信号の受信で閃光開始を行う。閃光停止信号は、フィルム面に照射される光量が所定レベルに達した際に発生する信号で、ストロボ１０はこの閃光停止信号の受信で閃光を停止させるよう作動する。
【００２３】
図３は、セレクタ７の周辺を示す上面図である。セレクタ７の周囲には、５つのポジションが存在し、セレクタ７を回転させてそれぞれの指標を合わせることで選択される。選択対象は、ストロボ１０に合わせた全自動モード１２Ａの外、４種類のシャッタタイムを優先的に選択して機能させる手動モード１２Ｂ、１２Ｃ、１２Ｄ、および１２Ｅである。
【００２４】
全自動モード１２Ａは、ストロボ１０の閃光時間に応じて最適のシャッタタイムが設定されるものである。例えば閃光時間の長いストロボの場合にはシャッタタイムは長めに、逆に閃光時間の短い場合には短めのシャッタタイムが自動的に選択され、ストロボ１０の閃光量をフルに使用できるモードである。手動モードは、被写体の動きに応じたシャッタタイムを優先して決定するモードであり、ストロボの閃光時間は選択されたシャッタタイムに応じて制御される。以上の動作の詳細は後述する。
【００２５】
図４は、背面ＬＣＤ６による表示例である。セグメント１３Ａおよび１３Ｂは、それぞれフィルム感度およびストロボモードを示すシンボルマークである。それらの下方には数値による表示が併設され、セグメント１３Ｃおよび１３Ｄは、それぞれフィルム感度値および制御されるシャッタタイム値である。
【００２６】
セレクタ７にて自動モードが選択された場合には、使用するストロボ１０に合わせて最適なシャッタタイムが自動的に選択されるので、その値がセグメント１３Ｄにて撮影者に対して示される。セレクタ７にて手動モードが選択されている場合には、選択された１２Ｂ〜１２Ｄの内、選択されている値と同じものが表示される。
【００２７】
詳細は後述するが、使用されるストロボ１０の閃光時間が手動モードによって途中で打ち切りされる可能性があるときには、セグメント１３Ｂによる点滅が行われる。
【００２８】
図５は、カメラ１のシャッタ走行とストロボ１０の閃光のタイミング関係を示すタイミングチャートである。
【００２９】
図５（Ａ）において、シャッタ先幕４０と後幕４１Ａあるいは４１Ｂが、画面４２内を順次走行する。先幕４０が画面４２内にて走行完了すると、タイミング４３にて閃光開始信号をストロボ１０に対して出力する。後幕４１Ａおよび４１Ｂは、それぞれシャッタタイムが異なる作動を示す。前述のタイミング４３と、後幕４１Ａあるいは４１Ｂが画面４２にさしかかるタイミング４４Ａあるいは４４Ｂとの間隔は、全開時間と称され、画面４２内にはシャッタ幕が存在しない期間である。ストロボ１０の閃光は、この全開時間内で完了していなくてはならない。
【００３０】
図５（Ｂ）は、前述のセレクタ７によって全自動モードが選択され、ストロボ１０の閃光量をフルに使用できる場合の閃光波形４６を示している。タイミング４３にて閃光は開始し、ほぼフル発光し尽くすタイミング４４Ｂに到達した時点で後幕が画面内にさしかかるようになっている。タイミング４４Ｂ以降も多少の閃光残りが認められるが、光量としては微々たるものであり露光むらにはならない。
【００３１】
図５（Ｃ）は、前述のセレクタ７によって手動モードが選択され、図５（Ｂ）よりも早いシャッタタイムで制御される場合の閃光波形４７を示している。後幕４１Ａが画面４２にさしかかるタイミング４４Ａでは、閃光が完了していなくてはならないので、閃光波形は図示のように後述するリミッタによって途中で打ち切られた形状になる。ここで示した図５（Ｃ）の閃光停止波形は、レスポンスの良い性能を有するストロボの場合で、タイミング４４以降に遅延を持たないため、強制的に閃光停止させても後幕走行による露光むらは無い。このような性能のストロボを以降、対応ＳＢと仮称する（図６参照）。
【００３２】
図５（Ｄ）は、レスポンスの悪いストロボによる閃光波形４８を示し、タイミング４４Ａで閃光停止信号を送信しても、図示のように遅延部分が残り、後幕走行による露光むらが発生する。このような性能のストロボを以降、非対応ストロボと仮称する（図６参照）。
【００３３】
上記図５（Ｃ）での波形４７は、図５（Ｂ）の様な制御を行っている場合に、調光機能によって閃光停止されたものと同一である。つまり図５（Ｂ）においてフィルムへの閃光到達量をモニタする機能を有するカメラの場合、閃光到達量が所定レベルに達した際には閃光停止信号をストロボ１０に出力し、閃光を強制的に停止させるものであり、一般に被写体が明るいあるいは近距離である条件下での作動である。
【００３４】
従って図５（Ｃ）の場合、あらかじめ後幕のタイミング４４Ａに合わせたリミッタの計時完了するタイミングで、閃光停止信号を出力すれば良い。勿論被写体が明るい条件下あるいは近距離である条件下では、閃光波形４７よりさらに短い閃光となる場合もある。言い換えれば、所定の時限では必ず閃光停止信号を発生させる調光機能と言える。
【００３５】
上記図５（Ｄ）においては、露光むらの不具合が発生するので、タイミング４４Ａでの強制的な閃光停止はしてはならないことが判る。図５（Ｃ）と図５（Ｄ）との制御の使い分けは、ストロボの種類を判断することで可能であり、詳細は後述する。
【００３６】
図６は、ストロボの種類とセレクタ７による選択条件の組み合わせによる作動状態を示す表である。横軸は、セレクタ７によって４種類の内一つのシャッタタイムを優先的に選択する手動選択モード、あるいはストロボ１０に合わせた最適なシャッタタイムが設定される自動選択モードを表す。ここで手動選択モードにおいて、シャッタタイムに付記されている時間は、それぞれに適応した全開時間である。
【００３７】
縦軸は、前述した対応ストロボ（対応ＳＢ）および非対応ストロボ（非対応ＳＢ）の大別、さらに対応ストロボについては３種類存在し、その違いはフル発光する閃光時間である。ここで対応ストロボはその種類に応じた閃光時間を示すデータがカメラ側に伝達され、かつ強制的な閃光停止が可能なものであり、逆に非対応ストロボはその閃光時間をカメラ側では検知することはできるが、強制的な閃光停止ができない図５（Ｄ）の様な性能のストロボであるとする。
【００３８】
図６のＡは、閃光時間よりも全開時間の方が長い組み合わせ、あるいは閃光時間に従ったシャッタタイムが自動的に設定される組み合わせを示し、最長の図５（Ｂ）の波形４６にて閃光が行われる。図６のＢは、閃光時間よりも全開時間が短く、図５（Ｃ）のように所定の時限で必ず閃光停止信号が出力されなくてはならない組み合わせである。選択したシャッタタイムを優先し、それに応じた閃光停止信号が自動的に発生されなくてはならない。図６のＣは、非対応ストロボであることから、強制的な閃光停止ができず、閃光時間データに従ったシャッタタイムの自動選択のみが可能な組み合わせである。セレクタ７で選んだシャッタタイムは実現されない事が多い。その詳細な制御は後述する。
【００３９】
また対応ストロボと非対応ストロボの他に、旧ストロボが存在し、カメラ側ではその装着のみを検出することができるものである。強制的な閃光停止は勿論、データ交信ができないことから、閃光時間データによる自動設定も不可能な性能のものである。
【００４０】
図７は、図２に示したカメラ１内のＣＰＵ２７による処理ルーチンを示すフローチャートである。本ルーチンは不図示の電源からＣＰＵ２７に給電が行われている間繰り返し実行される。
【００４１】
ステップＳ１において、スイッチ検出回路２５からの信号をみて、モードなどの設定されている状態を読み取る。ステップＳ２において、ストロボ１０が装着されているか否かを判断する。装着の判断は、前述の閃光準備完了信号を検出することによる。
【００４２】
装着されていない場合は、ステップＳ４に移行する。ステップＳ４では、ストロボ１０が装着されていないので、ステップＳ１などで設定されていたシャッタタイムをそのまま選択する。
【００４３】
ステップＳ２で装着されていると判断した場合は、ステップＳ３において、ストロボとデータ交信を実行する（図８にて詳述する）。その後に、ステップＳ５に移行する。
【００４４】
ステップＳ５において、測光手段２０から被写体の輝度信号と、感度検出手段２３から感度信号を取り込む。ステップＳ６では、ステップＳ３あるいはＳ４にて選択あるいは設定されたシャッタタイムに基づいて、上記輝度信号と感度信号との演算を実行し、制御すべき絞り値を算出する。ステップＳ７において、以上で求めた露光に関する諸条件や各種モード等をＬＣＤ５および６にて表示させる。ステップＳ８において、スイッチ検出回路２５からの信号を見て、シャッタボタンが深く押され、露光動作の実行が指令されたか否かを判断する。指令されていれば、ステップＳ９に移行する。指令されていなければステップＳ１に戻り、上記の処理を繰り返し実行する。
【００４５】
ステップＳ９において、 不図示の反射ミラーを上昇させ、撮影光路から退避させる。ステップＳ１０において、絞り３０を所定絞り開口となるよう制御する。ステップＳ１１において、シャッタ２９の開閉とストロボ１０の閃光制御に関する処理を実行する（詳細は図９にて説明する）。ステップＳ１２において、すべての動作が完了したのでモータ３１を正転させて、フィルムの給送とメカニズムの付勢動作を行う。この後は、ステップＳ１に復帰して上記の処理を繰り返す
。
【００４６】
図８は、図７に示したデータ交信（ステップＳ３）の詳細実施例である。ステップＳ２１において、装着されたストロボとの交信が可能であるか否かを判断する。交信が可能である場合には、ステップＳ２２に移行する。交信が不可能である場合には、そのストロボの閃光時間などの必要データが得られない旧ストロボであるので、ステップＳ３６（後述）にジャンプする。
【００４７】
ステップＳ２２では、ストロボ１０との交信により、装着されているストロボ１０固有の閃光時間を表す信号Ｔｓｂを受信する。ステップＳ２３において、交信データを判断し、対応ストロボ（対応ＳＢ）あるいは非対応ストロボ（非対応ＳＢ）の判別をする。対応ストロボが装着されていない場合には、ステップＳ３５（後述）に移行する。対応ストロボが装着されている場合には、ステップＳ２４において、スイッチ検出回路２５を見て、セレクタ７にて自動モードあるいは手動モードのいずれのモードが選択されているか判断する。
【００４８】
ステップＳ２５において、セレクタ７にて選択された手動モードの内、どのシャッタタイムＴｓｅｌが選択されたかを判断する。ステップＳ２６では、セレクタ７にて１／１２５が選択されている場合なので、シャッタタイム設定値を１／１２５に設定する。ステップＳ２７では、セレクタ７にて１／２００が選択されている場合なので、シャッタタイム設定値を１／２００に設定する。ステップＳ２８では、セレクタ７にて１／２５０が選択されている場合なので、シャッタタイム設定値を１／２５０に設定する。ステップＳ２９では、セレクタ７にて１／３００が選択されている場合なので、シャッタタイム設定値を１／３００に設定する。
【００４９】
ステップＳ３０では、図６に基づいて閃光時間リミッタを２ｍＳに設定する。ステップＳ３１では、図６に基づいて閃光時間リミッタを１ｍＳに設定する。ステップＳ３２では、図６に基づいて閃光時間リミッタを０．５ｍＳに設定する。
【００５０】
ステップＳ３３において、セレクタ７によるシャッタタイムＴｓｅｌがストロボ１０の閃光時間Ｔｓｂより短いか否かを判断する。短い場合は、ステップＳ３４において、シャッタタイムＴｓｅｌが閃光時間Ｔｓｂより短い、すなわち閃光の打ち切りが行われる可能性がある旨の警告信号を発生する。この警告信号は図７中のステップＳ７にて使用される。すなわちこの場合にはセグメント１３Ｂの点滅にて撮影者に告知するのである。
【００５１】
ステップＳ３５では、ステップＳ２３で非対応ストロボであると判断されたので、セレクタ７によるシャッタタイムでは実行できない可能性がある旨の警告を行う。具体的にはセグメント１３Ｂの点滅にて告知する。
【００５２】
ステップＳ３６では、ステップＳ２１で交信が成立しないと判断されたので、装着は検知できたが交信不可能なストロボ（前述した旧ストロボ）が装着されていることを表示し、セレクタ７の選択が実施されない可能性がある旨の警告を行う。具体的にはセグメント１３Ｂの点滅にて告知する。
【００５３】
ステップＳ３７では、装着されたストロボの閃光時間を判断する。ステップＳ３８では、旧ストロボの装着、あるいは閃光時間が１ｍＳであるストロボの装着であるので、図６に基づいてシャッタタイムを自動的に１／２５０に設定する。ステップＳ３９では、閃光時間が２ｍＳであるので、図６に基づいてシャッタタイムを自動的に１／２００に設定する。ステップＳ４０では、閃光時間が４ｍＳであるので、図６に基づいてシャッタタイムを自動的に１／１２５に設定する。
【００５４】
ステップＳ４１において、閃光の打ち切りが不要であるので、閃光時間リミッタを解除する。
【００５５】
図８において、警告にはステップＳ３５、Ｓ３６、およびＳ３４の３種類が存在し、それぞれ同様の点滅警告を示したが、詳細に告知が必要である場合にはそれぞれ異なるセグメントを用いて行っても良い。
【００５６】
図９は、図７に示したシャッタ開閉とストロボ調光に関する処理（ステップＳ１１）の詳細を示すフローチャートである。ステップＳ４０において、制御すべきシャッタタイムを計時用タイマにセットする。ステップＳ４、ステップＳ２３〜Ｓ２６、ステップＳ３３〜Ｓ３５の内のいずれかによるものである。ステップＳ４１において、シャッタ２９を開く。ステップＳ４２では、ステップＳ４０にてセットしたタイマの計時を開始する。これ以降はステップＳ４３に続くシャッタタイムの計時処理と、ステップＳ４５に続く閃光処理を平行して実行する。
【００５７】
ステップＳ４３において、ステップＳ４２にて計時開始したタイマの計時が完了するのを待つ。ステップＳ４４において、計時が完了したのでシャッタ２９を閉じる。
【００５８】
ステップＳ４５において、ステップＳ４１にて開き始めたシャッタ２９が全開状態に達するのを待つ。全開開始は図５のタイミング４３の時点に相当する。判断方法は、ステップＳ４１からの所定タイマあるいは機械的な接点の作動などいずれの方法でも良い。ステップＳ４６において、ストロボ１１に閃光開始信号を出力し、閃光を開始させる。ステップＳ４７において、閃光時間リミッタが設定されているか否かを判断する。設定されている場合は、ステップＳ４８に移行する。設定されていない場合は、ステップＳ５１に移行する。
【００５９】
ステップＳ４８において、設定されている閃光時間リミッタを計時用タイマにセットする。本タイマはステップＳ４０から使用しているタイマとは別のものである。ステップＳ４９において、ステップＳ４８でセットしたタイマの計時を開始する。この後は、ステップＳ５０とステップＳ５１の処理を平行して実行する。
【００６０】
ステップＳ５０において、ステップＳ４９で計時開始したタイマの計時が完了するのを待つ。
【００６１】
ステップＳ５１において、調光回路２２によりストロボ光の積分を開始する。ステップＳ５２において、積分量が所定値に達するのを待つ。
【００６２】
ステップＳ５３において、ステップＳ５０あるいはステップＳ５２のいずれかからの信号にて閃光停止信号を発生する。
【００６３】
以上で説明したように、本発明の閃光装置と同調可能な撮像装置では、図５（Ｃ）の様な閃光停止特性を有するストロボを使用した場合には、タイミング４４Ａの時点で閃光停止が実行されるので、選択したシャッタタイムが効果的に使用され、後幕は４１Ａのように発進する。図５（Ｄ）の様な閃光停止特性の悪いストロボを使用した場合には、露光むらを防止するために、後幕は４１Ｂの如く遅いシャッタタイムとなるよう発進するようにしている。
【００６４】
これにより、最も望ましい第１のストロボを併用した際には、撮影者の望むシャッタタイムがそのまま優先的に設定され、ストロボに対してはその設定に合わせた最適な制御が実行される。詳しくは、装着されたストロボ固有の閃光時間に応じて適正なシャッタタイムを自動選択するモードと、撮影者によって任意のシャッタタイムが選択でき、かつそのシャッタタイムに応じた最適なストロボの閃光時間に制限を設け、しかもその制限時間内では自動選択モードと同じく調光制御も可能な手動モードの選択が可能となる。
【００６５】
下位機能の第２のストロボを併用した際には、撮影者の望むシャッタタイムは時として優先されないものの、そのストロボの閃光特性に合わせた最適なシャッタタイムが自動的に選択され、撮影の失敗は防止される。最後にカメラ側での制御が全く不可能な最下位機能の第３のストロボを使用した際には、最良と思われるシャッタタイムが選択され、できる限りの失敗を防止するような作動が実行される。
【００６６】
【発明の効果】
以上のように、本発明の閃光装置と同調可能な撮像装置によれば、調光手段または計時手段のいずれかの出力に基づいて閃光を停止すると共に、閃光開始を起点とする計時手段の計時時間を、選択されたシャッタタイムに基づいて制御するようにしたので、併用する閃光装置の機能に応じて、撮影者の意図に最も適した状態で、閃光装置と撮像装置の制御を行うことができる。
【００６７】
即ち、最も望ましい第１のストロボを併用した際には、撮影者の望むシャッタタイムがそのまま優先的に設定され、ストロボに対してはその設定（計時時間）に合わせて閃光を停止する制御が行われる。下位機能の第２のストロボを併用した際には、撮影者の望むシャッタタイムは時として優先されないものの、そのストロボの閃光特性に合わせた最適なシャッタタイムが自動的に選択され、撮影の失敗は防止される。最後に撮像装置側での制御が全く不可能な最下位機能の第３のストロボを使用した際には、最良と思われるシャッタタイムが選択され、できる限りの失敗を防止する。
【図面の簡単な説明】
【図１】本発明による閃光装置と同調可能な撮像装置の一実施例を示す斜視図である。
【図２】本発明による閃光装置と同調可能な撮像装置の一実施例を示すブロック結線図である。
【図３】本発明による閃光装置と同調可能な撮像装置の一実施例を示す上面図である。
【図４】本発明による閃光装置と同調可能な撮像装置の一実施例を示す背面図である。
【図５】本発明による閃光装置と同調可能な撮像装置の一実施例を示すタイミングチャートである。
【図６】本発明による閃光装置と同調可能な撮像装置の一実施例を示す特性図である。
【図７】本発明による閃光装置と同調可能な撮像装置の一実施例を示すフローチャートである。
【図８】本発明による閃光装置と同調可能な撮像装置の一実施例を示すフローチャートである。
【図９】本発明による閃光装置と同調可能な撮像装置の一実施例を示すフローチャートである。
【符号の説明】
１        カメラ
５、６    ＬＣＤ
７        セレクタ
８        ホットシュー
１０      ストロボ
２７      ＣＰＵ
【図１】
0003744054.tif 000002
【図２】
0003744054.tif 000003
【図３】
0003744054.tif 000004
【図４】
0003744054.tif 000005
【図５】
0003744054.tif 000006
【図６】
0003744054.tif 000007
【図７】
0003744054.tif 000008
【図８】
0003744054.tif 000009
【図９】
0003744054.tif 000010